【手続補正書】
【提出日】平成24年6月4日(2012.6.4)
【手続補正１】
【補正対象書類名】明細書
【補正対象項目名】０２７８
【補正方法】変更
【補正の内容】
【０２７８】
（実施例Ｅ）
（実施例１０）
９０／１０のイソオクチルアクリレート／アクリル酸、０．３重量％のヘキサンジオールジアクリレート、及び０．２重量％のＩＲＧＡＣＵＲＥ  ６５１光開始剤（チバ・スペシャルティ社（Ciba Specialty））を配合した接着剤組成物を、側方放射型発光ダイオード（ＬＥＤ）の２本のリボンが２２．９ｃｍ（９インチ）の間隔で（両面接着剤により）取り付けられたミラーフィルム上にコーティングした。接着剤組成物は切り欠きバーナイフコーターを用いてコーティングし、シリコーン剥離ライナー（シー・ピー・フィルムズ社（CP Films）Ｔ１０  ０．０５ｍｍ（２．０ミル）ポリエステル剥離ライナー）で覆った。低強度の紫外線ランプを用いて接着剤組成物を１５分間硬化させた。接着剤組成物を１．７８ｍｍ（７０ミル）の湿潤厚さでコーティングしてＬＥＤリボンを完全に封入した。この接着剤の屈折率は１．４７４であった（Ａｂｂｅ屈折計で測定した場合）。ＬＥＤに電流を供給できるように接着剤を接続点においてリボンから剥離した。透明な０．１３ｍｍ（５ミル）のＰＥＴに印刷された抽出ドットパターンを有する抽出層をＬＥＤリボンが埋め込まれた導光材（２２．９ｃｍ×２２．９ｃｍ（９インチ×９インチ））にラミネートした。次いで白色ＰＥＴフィルムの拡散層を抽出層の上に置き、最後にビニール製のグラフィックフィルムをこの上に置いた（ビニールフィルムには画像が印刷されている）。封入された側方放射型ＬＥＤに通電したところ、光は２２．９ｃｍ（９インチ）のＰＳＡの長さ全体を通じて容易に通過し、ビニール製グラフィックフィルムを通じて抽出パターンから出射することを視覚的に確認することができた。本発明の実施態様の一部を以下の項目１−４４に列記する。
〔１〕
光源と粘弾性導光材とを備えた光学装置であって、前記光源によって放射された光が前記粘弾性導光剤に進入して前記導光材の内部を全反射によって移送される、光学装置。
〔２〕
前記粘弾性導光材の少なくとも１つの面が粘弾性導光材の内部を移送される光を抽出するような向きを有する複数の形状を含む、項目１に記載の光学装置。
〔３〕
前記粘弾性導光材の内部を移送される光の少なくとも約８０％が前記導光材から抽出される、項目１に記載の光学装置。
〔４〕
前記粘弾性導光材の内部を移送される光が前記導光材の主面から抽出される、項目１に記載の光学装置。
〔５〕
前記粘弾性導光材の内部を移送される光が前記導光材の端面から抽出される、項目１に記載の光学装置。
〔６〕
前記粘弾性導光材が感圧性接着剤を含む、項目１に記載の光学装置。
〔７〕
前記粘弾性導光材が約９０〜約１００％の光透過率及び約０．０１〜約５％未満のヘイズ値を有する、項目１に記載の光学装置。
〔８〕
光源と光学物品とを備えた光学装置であって、前記光学物品が基材上に配置された粘弾性導光材を含み、前記光源によって放射された光が前記粘弾性導光材に進入して導光材の内部を全反射によって移送される、光学装置。
〔９〕
前記粘弾性導光材の間に形成された界面が、前記粘弾性導光材の内部を移送される光を抽出するような向きを有する複数の形状を含む、項目８に記載の光学装置。
〔１０〕
前記粘弾性導光材の内部を移送される光の少なくとも約８０％が前記導光材から前記基材内へと抽出される、項目８に記載の光学装置。
〔１１〕
前記粘弾性導光材の内部を移送される光の少なくとも一部が前記基材から放射される、項目８に記載の光学装置。
〔１２〕
前記基材の少なくとも１つの面が、前記粘弾性導光材から抽出された光を放射するような向きを有する複数の形状を含む、項目８に記載の光学装置。
〔１３〕
前記粘弾性導光材の内部を移送される光の少なくとも一部が前記基材から均一に放射される、項目８に記載の光学装置。
〔１４〕
前記粘弾性導光材の内部を移送される光の少なくとも一部が前記基材から１以上の所定の方向に放射される、項目８に記載の光学装置。
〔１５〕
前記粘弾性導光材の内部を移送される光の少なくとも一部が前記基材からランダムに放射される、項目８に記載の光学装置。
〔１６〕
前記粘弾性導光材の内部を移送される光の少なくとも一部が前記基材から所定の形状で放射される、項目８に記載の光学装置。
〔１７〕
前記粘弾性導光材の内部を移送される光の少なくとも一部が前記基材から異なる強度で放射される、項目８に記載の光学装置。
〔１８〕
前記粘弾性導光材に進入する光の量に対して約５０％よりも多い光が前記基材から放射される、項目８に記載の光学装置。
〔１９〕
前記粘弾性導光材が（メタ）アクリル系感圧性接着剤を含み、前記（メタ）アクリル系感圧性接着剤が、
モノエチレン性不飽和アルキル（メタ）アクリレートモノマーを含む第１のモノマーと、
ホモポリマーのＴｇが少なくとも約１０℃である第２のモノマーと、を含む、項目８に記載の光学装置。
〔２０〕
前記基材がシリコーン感圧性接着剤を含む、項目８に記載の光学装置。
〔２１〕
前記基材が延伸剥離性感圧性接着剤を含む、項目８に記載の光学装置。
〔２２〕
前記基材が、ポリマーフィルム、金属、ガラス、セラミック、紙、布地、又はこれらの組み合わせを含む、項目８に記載の光学装置。
〔２３〕
前記基材が画像形成されたポリマーフィルムを含む、項目８に記載の光学装置。
〔２４〕
前記光学物品が約９０〜約１００％の光透過率及び約０．０１〜約５％未満のヘイズ値を有する、項目８に記載の光学装置。
〔２５〕
前記基材がリフレクターを含む、項目８に記載の光学装置。
〔２６〕
前記基材が剥離ライナーを含む、項目８に記載の光学装置。
〔２７〕
前記光学物品が画像を提供する、項目８に記載の光学装置。
〔２８〕
前記第１の基材が前記粘弾性層から光を抽出する領域及び光を抽出しない領域を含む、項目８に記載の光学装置。
〔２９〕
光源と光学物品とを備えた光学装置であって、前記光学物品が第１の基材と第２の基材との間に配置された粘弾性導光材を含み、前記光源によって放射された光が前記粘弾性導光材に進入して導光材の内部を全反射によって移送される、光学装置。
〔３０〕
前記粘弾性導光材と前記第１の基材との間に形成された第１の界面と、前記粘弾性導光材と前記第２の基材との間に形成された第２の界面とを有し、前記第１及び第２の界面がそれぞれ、前記粘弾性導光材の内部を移送される光を抽出するような向きを有する複数の形状を含む、項目２９に記載の光学装置。
〔３１〕
前記粘弾性導光材の内部を移送される光の少なくとも約８０％が前記導光材から前記第１及び第２の基材内へと抽出される、項目２９に記載の光学装置。
〔３２〕
前記粘弾性導光材の内部を移送される光の少なくとも一部が前記第１及び第２の基材から放射される、項目２９に記載の光学装置。
〔３３〕
前記粘弾性導光材に進入する光の量に対して約５０％よりも多い光が前記第１及び第２の基材から放射される、項目２９に記載の光学装置。
〔３４〕
前記粘弾性導光材が（メタ）アクリル系感圧性接着剤を含み、前記（メタ）アクリル系感圧性接着剤が、
モノエチレン性不飽和アルキル（メタ）アクリレートモノマーを含む第１のモノマーと、
ホモポリマーのＴｇが少なくとも約１０℃である第２のモノマーと、を含む、項目２９に記載の光学装置。
〔３５〕
前記第１及び第２の基材がシリコーン感圧性接着剤を含む、項目２９に記載の光学装置。
〔３６〕
前記第１及び第２の基材がそれぞれ、ポリマーフィルム、金属、ガラス、セラミック、紙、布地、又はこれらの組み合わせのうちのいずれか１以上を含む、項目２９に記載の光学装置。
〔３７〕
前記第１の基材が画像形成されたポリマーフィルムを含み、前記第２の基材がリフレクターを含む、項目２９に記載の光学装置。
〔３８〕
前記第１の基材が画像形成されたポリマーフィルムを含み、前記第２の基材がリフレクターを含み、前記光学物品が前記粘弾性導光材の間に配置された更なる層を更に含み、前記更なる層が光透過性結合剤中に配置された粒子の層を含み、前記粒子がガラス又はポリマーを含む、項目２９に記載の光学装置。
〔３９〕
前記光学物品が約９０〜約１００％の光透過率及び約０．０１〜約５％未満のヘイズ値を有する、項目２９に記載の光学装置。
〔４０〕
項目１の光学物品を含む、サイン又はマーキング。
〔４１〕
ディスプレイパネル及び項目１の光学物品を含む、ディスプレイ装置。
〔４２〕
１以上のキー及び項目１の光学物品を含む、キーパッドアセンブリ。
〔４３〕
車両での使用に適したテールライトアセンブリであって、ハウジング、透明カバー、及び項目１の光学物品を含む、テールライトアセンブリ。
〔４４〕
ハウジング、光放射層、及び項目１に記載の光学物品を含む、照明装置。
【手続補正２】
【補正対象書類名】特許請求の範囲
【補正対象項目名】全文
【補正方法】変更
【補正の内容】
【特許請求の範囲】
【請求項１】
光源と光学物品とを備えた光学装置であって、前記光学物品が基材上に配置された粘弾性導光材を含み、前記光源によって放射された光が前記粘弾性導光材に進入して導光材の内部を全反射によって移送される、光学装置。
【請求項２】
前記基材の少なくとも１つの面が、前記粘弾性導光材から抽出された光を放射するような向きを有する複数の形状を含む、請求項１に記載の光学装置。
【請求項３】
前記基材が前記粘弾性導光材から光を抽出する第１の領域及び前記粘弾性導光材から光を抽出しない第２の領域を含む、請求項１に記載の光学装置。